(57)【要約】      （修正有）【課題】優れた防虫効果を有する穀物袋を提供する。【解決手段】穀物袋１は、袋本体２０と、袋本体の内部を少なくとも２つの空間に仕切るための仕切り部材３１とを有する。空間はそれぞれ開口部２０ｃを有しており、仕切り部材が、少なくとも１種の防虫成分を含む防虫ネットである。【選択図】図１
2017056963.tif 000002
【特許請求の範囲】
【請求項１】
袋本体と、
前記袋本体の内部を少なくとも２つの空間に仕切るための仕切り部材と
を有し、
前記空間はそれぞれ開口部を有しており、前記仕切り部材が、少なくとも１種の防虫成分を含む防虫ネット（Ａ）である、穀物袋。
【請求項２】
前記袋本体の内面に、少なくとも１種の防虫成分を含む防虫ネット（Ｂ）を備える、請求項１に記載の穀物袋。
【請求項３】
前記袋本体の外面に、少なくとも１種の防虫成分を含む防虫ネット（Ｃ）を備える、請求項１または２に記載の穀物袋。
【請求項４】
前記袋本体が、内面シートと、外面シートと、その間に少なくとも１種の防虫成分を含む防虫ネット（Ｄ）を備える構造を有する、請求項１から３の何れか一つに記載の穀物袋。
【請求項５】
前記防虫ネット（Ａ）、前記防虫ネット（Ｂ）、前記防虫ネット（Ｃ）及び前記防虫ネット（Ｄ）の何れかは、少なくとも１種の防虫成分を含む熱可塑性樹脂製ネットである、請求項１から４の何れか一つに記載の穀物袋。
【請求項６】
前記防虫ネット（Ａ）、前記防虫ネット（Ｂ）、前記防虫ネット（Ｃ）及び前記防虫ネット（Ｄ）の何れかに含まれる防虫成分は、ピレスロイド化合物及び昆虫成長制御剤の少なくとも一方を含む、請求項１から５の何れか一つに記載の穀物袋。
【請求項７】
前記ピレスロイド化合物は、ペルメトリンである、請求項６に記載の穀物袋。
【請求項８】
前記昆虫成長制御剤は、ピリプロキシフェンである、請求項６または７に記載の穀物袋。
【請求項９】
請求項１から８の何れか一つに記載の穀物袋内に穀物を入れる工程を有する、前記穀物袋内に収納される穀物を害虫から保護する、防虫方法。
【発明の詳細な説明】
【技術分野】
【０００１】
本発明は、穀物袋および防虫方法に関する。
【背景技術】
【０００２】
従来、穀物袋としては、特開２０１１−８８６３８号公報（特許文献１）に記載されたものがある。この穀物袋は、表地と裏地の二重構造を有し、裏地の目巾が、穀物の野毛を貫通しない程度に設定されている。これにより、野毛の多い穀物を穀物袋に収納しても、その野毛が裏地に引っ掛かることがなく、排出時に全ての穀物を完全に排出することができる。
【先行技術文献】
【特許文献】
【０００３】
【特許文献１】特開２０１１−８８６３８号公報
【発明の概要】
【発明が解決しようとする課題】
【０００４】
ところで、前記従来の穀物袋では、穀物を穀物袋内に収納しているとき、穀物に付着している害虫や、穀物袋の外部から侵入する害虫によって、穀物が、被害を受けるおそれがある。
【０００５】
そこで、本発明の課題は、優れた防虫効果を有する穀物袋および防虫方法を提供することにある。
【課題を解決するための手段】
【０００６】
前記課題を解決するため、本発明の穀物袋は、
袋本体と、
前記袋本体の内部を少なくとも２つの空間に仕切るための仕切り部材と
を有し、
前記空間はそれぞれ開口部を有しており、前記仕切り部材が、少なくとも１種の防虫成分を含む防虫ネット（Ａ）である。
【０００７】
本発明の穀物袋によれば、少なくとも１種の防虫成分を含む防虫ネット（Ａ）を有するので、殺虫効果を発揮して、優れた防虫効果を有する穀物袋を提供できる。
【０００８】
前記実施形態によれば、袋本体の内部を少なくとも２つの空間に仕切るための仕切り部材は、防虫ネット（Ａ）であるので、袋本体内に穀物を収納する際、穀物に付着している害虫に対して、有効に防虫効果を発揮する。さらに、作業者は、袋本体を持ち運ぶ際、袋本体の外側に触れても、防虫ネットに直接に触れることがなく、防虫剤が作業者に付着し難くなる。さらに、害虫が袋本体の内部の少なくとも２つの空間を移動しようとすると、害虫がネットに触れて、防虫効果が向上する。
【０００９】
また、穀物袋の一実施形態では、前記袋本体の内面に、少なくとも１種の防虫成分を含む防虫ネット（Ｂ）を備える。
【００１０】
前記実施形態によれば、袋本体の内面に、防虫ネット（Ｂ）を備えるので、袋本体内に穀物を収納する際、穀物に付着している害虫に対して、有効に防虫効果を発揮する。
【００１１】
また、穀物袋の一実施形態では、前記袋本体の外面に、少なくとも１種の防虫成分を含む防虫ネット（Ｃ）を備える。
【００１２】
前記実施形態によれば、袋本体の外面に、防虫ネット（Ｃ）を備えるので、袋本体の外から内に侵入する害虫に対して、有効に防虫効果を発揮する。
【００１３】
また、穀物袋の一実施形態では、
前記袋本体が、内面シートと、外面シートと、その間に少なくとも１種の防虫成分を含む防虫ネット（Ｄ）を備える構造を有する。
【００１４】
前記実施形態によれば、袋本体の内面シートと外面シートの間に防虫ネット（Ｄ）を備えるので、袋本体の外から内に侵入する害虫に対して、有効に防虫効果を発揮する。
【００１５】
また、穀物袋の一実施形態では、前記防虫ネット（Ａ）、前記防虫ネット（Ｂ）、前記防虫ネット（Ｃ）及び前記防虫ネット（Ｄ）の何れかは、少なくとも１種の防虫成分を含む熱可塑性樹脂製ネットである。
【００１６】
また、穀物袋の一実施形態では、前記防虫ネット（Ａ）、前記防虫ネット（Ｂ）、前記防虫ネット（Ｃ）及び前記防虫ネット（Ｄ）の何れかに含まれる防虫成分は、ピレスロイド化合物及び昆虫成長制御剤の少なくとも一方を含む。
【００１７】
また、穀物袋の一実施形態では、前記ピレスロイド化合物は、ペルメトリンである。
【００１８】
また、穀物袋の一実施形態では、前記昆虫成長制御剤は、ピリプロキシフェンである。
【００１９】
また、防虫方法の一実施形態では、前記穀物袋内に穀物を入れる工程を有する、前記穀物袋内に収納される穀物を害虫から保護する。
【００２０】
前記実施形態によれば、前記穀物袋を用いて穀物を害虫から保護するので、優れた防虫効果を発揮できる。
【発明の効果】
【００２１】
本発明の穀物袋および防虫方法によれば、少なくとも１種の防虫成分を含む防虫ネットを有するので、優れた防虫効果を有する。
【図面の簡単な説明】
【００２２】
【図１】本発明の穀物袋の第１実施形態を示す一部破断の斜視図である。
【図２】穀物袋の平面図である。
【図３】穀物袋の分解斜視図である。
【図４Ａ】編構造の防虫ネットの拡大図である。
【図４Ｂ】織構造の防虫ネットの拡大図である。
【図４Ｃ】四角形の網目の防虫ネットの拡大図である。
【図４Ｄ】六角形の網目の防虫ネットの拡大図である。
【図５】本発明の穀物袋の第２実施形態を示す分解斜視図である。
【図６】本発明の穀物袋の第３実施形態を示す分解斜視図である。
【図７Ａ】本発明の穀物袋の第４実施形態を示す分解斜視図である。
【図７Ｂ】本発明の穀物袋の第４実施形態における袋本体の断面図である。
【図８】実験データを示すグラフである。
【発明を実施するための形態】
【００２３】
以下、本発明を図示の実施の形態により詳細に説明する。
【００２４】
（第１実施形態）
図１は、本発明の穀物袋の第１実施形態を示す一部破断の斜視図である。図２は、穀物袋の平面図である。図３は、穀物袋の分解斜視図である。図１と図２と図３に示すように、穀物袋１は、袋本体２０と、袋本体２０に取り付けられた防虫ネット３１（防虫ネット（Ａ）の一例）とを有する。
【００２５】
防虫ネット３１は、袋本体２０の内部を２つの空間Ｓ１，Ｓ２に仕切るための仕切り部材である。防虫ネット３１は、袋本体２０の開口部２０ｃ側からみて袋本体２０の内部を２つの空間Ｓ１，Ｓ２に仕切るように、袋本体２０の内面２０ａに取り付けられている。つまり、防虫ネット３１は、仕切りの防虫ネット３１である。防虫ネット３１は、少なくとも１種の防虫成分を含む。
【００２６】
袋本体２０は、上側に開口部２０ｃを有し、下側に底部２０ｄを有する。開口部２０ｃは、例えば、ファスナーや紐などの開閉具により、開閉可能に構成される。袋本体２０の形状は、膨らんだ状態で、円筒形状であるが、厚みのある板状や略球状や円錐状などであってもよい。
【００２７】
穀物は、袋本体２０の開口部２０ｃから出し入れされる。穀物は、例えば、芋、とうもろこし、米、麦、あわ、ひえ、豆、きび、そば等である。
【００２８】
袋本体２０の材料は、好ましくは、ポリプロピレンであるが、その他の樹脂や麻などであってもよい。袋本体２０の材料は、例えば、熱可塑性樹脂や、天然繊維、ガラス繊維等の繊維である。
【００２９】
防虫ネット３１の数量は、１枚である。防虫ネット３１は、矩形状である。防虫ネット３１の左右の端縁のそれぞれが、袋本体２０の内面２０ａに取り付けられる。防虫ネット３１の左右の端縁は、例えば、熱圧着や縫製や接着などにより、袋本体２０の内面２０ａに張り付けられる。
【００３０】
これにより、防虫ネット３１は、開口部２０ｃ側からみて、袋本体２０の内部に、２つの空間Ｓ１，Ｓ２を形成する。２つの空間Ｓ１，Ｓ２は、それぞれ、開口部を有する。２つの空間Ｓ１，Ｓ２は、開口部２０ｃから底部２０ｄに渡る方向（上下方向）に直交する水平方向に、形成される。２つの空間Ｓ１，Ｓ２の大きさは、開口部２０ｃ側からみて、同じであってもよく、または、異なっていてもよい。
【００３１】
防虫ネット３１の上下の長さは、袋本体２０の上下の長さよりも短い。防虫ネット３１は、袋本体２０の上下の間の中間の位置にある。防虫ネット３１の位置は、害虫が存在する位置に対応する。なお、防虫ネット３１は、袋本体２０の上下の間の何れの位置にあってもよい。また、防虫ネット３１は、水平方向に配置されているが、左右の端縁の一方が上側に位置し、左右の端縁の他方が下側に位置するように、斜め方向に配置されるようにしてもよい。また、防虫ネット３１の上下の長さは、袋本体２０の上下の長さと略同じであってもよい。また、防虫ネット３１は、矩形状でなく、長円形、楕円形、多角形などであってもよい。
【００３２】
なお、防虫ネット３１の数量は、２枚以上であってもよく、このとき、複数の防虫ネット３１を、袋本体２０の内部を３つ以上の空間に仕切るように、袋本体２０の内面２０ａに取り付けてもよい。
【００３３】
防虫ネット３１は、図４Ａと図４Ｂの拡大図に示すように、複数の網目３５を形成するように、糸３６，３７を編むか、又は織ることにより形成されるものである。図４Ａは、糸３６、３７を、多数の網目３５を形成するように、編んで形成された、編構造の防虫ネット３１の一例を示している。図４Ａでは、編構造を構成する２本の糸３６、３７を示すために、一方の糸３６を便宜的にハッチングで示している。図４Ｂは、糸３６、３７を、多数の網目３５を形成するように、織って形成された、織構造の防虫ネット３１の一例を示している。図４Ｂでは、織構造を構成する２本の糸３６、３７を示すために、一方の糸３６に、便宜的にハッチングを付している。糸３６、３７の素材は、天然繊維、ガラス繊維又は合成繊維である。天然繊維としては、パルプ、セルロース、綿、ジュート及び麻製の天然繊維が挙げられる。合成繊維としては、熱可塑性樹脂製の合成繊維が挙げられる。糸３６、３７の太さは、ネットとしての強度を維持できる太さである必要があり、通常１０〜１０００デニール、好ましくは５０〜５００デニール、更に好ましくは５０〜３００デニールの範囲である。
【００３４】
防虫ネット３１における網目３５の形状は、多角形であることが好ましく、多角形としては、四角形、六角形及び八角形等が挙げられる。図４Ｃは、網目３５の形状が四角形である防虫ネット３１の一例を示している。図４Ｄは、網目３５の形状が六角形である防虫ネット３１の一例を示している。本実施形態においては、網目３５の形状が単一である防虫ネット３１の使用が好ましく、かかる防虫ネット３１における網目３５の形状は、四角形又は六角形が好ましい。
【００３５】
網目３５の大きさは、防除対象とする害虫の体長に応じて適宜設定され、害虫がネットを通過しようとする際にネットに接触するような大きさであるのが好ましい。網目３５の大きさ（ホールサイズ）は、通常０．１〜５０ｍｍ、好ましくは０．２〜２０ｍｍ、より好ましくは０．２〜１０ｍｍの範囲である。網目３５の形状が四角形の場合、網目３５の大きさは対辺間の距離で表され、図４Ｃにおける長さａ及びｂで表される。また、二辺のなす角のうち、小さい方の角度は、通常６０〜９０度の範囲である。当該角度が９０度であり、且つ長さａと長さ（幅）ｂとが同一である場合、網目３５の形状は正方形であり、網目３５の大きさは正方形の一辺の長さで表される。網目３５の形状が六角形又は八角形の場合、網目３５の大きさは対角線の長さで表される。なお、網目３５の形状が六角形の場合の網目３５の大きさは、図４Ｄにおける対角線の長さｃで表される。
【００３６】
防虫ネット３１は、熱可塑性樹脂製ネットであることが好ましい。熱可塑性樹脂としては、ポリオレフィン系樹脂、ポリビニルアルコール、ポリカーボネート、ポリエステル、ポリアミド、ポリスチレン、ポリメタクリル酸メチル、ポリアクリロニトリル、アクリロニトリル−ブタジエン−スチレン共重合体、及びポリ塩化ビニル等が挙げられる。かかる熱可塑性樹脂としては、ポリオレフィン系樹脂が好ましい。ポリオレフィン系樹脂としては、次の化合物が好ましい。
（ｉ）オレフィンの単独重合体：エチレンホモポリマー、プロピレンホモポリマー等。
（ii）エチレン−α−オレフィン共重合体：エチレン−プロピレン共重合体、エチレン−ブテン−１共重合体、エチレン−４−メチル−１−ペンテン共重合体、エチレン−ヘキセン−１共重合体等。
（iii）エチレン性不飽和結合を有する有機カルボン酸またはその誘導体とエチレンとの共重合体：エチレン−メチルメタクリレート共重合体、エチレン−酢酸ビニル共重合体、エチレン−アクリル酸共重合体、エチレン−酢酸ビニル−メチルメタクリレート共重合体等。
【００３７】
前記熱可塑性樹脂製ネットは、熱可塑性樹脂を紡糸して得られる糸（以下、「熱可塑性樹脂糸」と記す）から形成される。熱可塑性樹脂糸は、熱可塑性樹脂を溶融混練し、次いで溶融紡糸することにより得られる。溶融混練は、押出機、ロール成形機、及びニーダー等の機器を使用して行うことができる。
【００３８】
防虫ネット３１の糸３６、３７は、それぞれ、担体を有し、担体に、防虫成分が保持される。防虫成分は、担体に混合され、または、担体表面にコーティングされる。すなわち、担体の材料は、好ましくは、熱可塑性樹脂である。防虫成分は、ピレスロイド化合物及び昆虫成長制御剤の少なくとも一方を含む。
【００３９】
（１）ピレスロイド化合物及び昆虫成長制御剤
(1-1)ピレスロイド化合物
ピレスロイド化合物としては、例えば、アクリナトリン（ａｃｒｉｎａｔｈｒｉｎ）、アレスリン（ａｌｌｅｔｈｒｉｎ）、ｄ−アレスリン、ｄｄ−アレスリン、ビフェントリン（ｂｉｆｅｎｔｈｒｉｎ）、シクロプロトリン（ｃｙｃｌｏｐｒｏｔｈｒｉｎ）、シフルトリン（ｃｙｆｌｕｔｈｒｉｎ）、ベータシフルトリン（ｂｅｔａ−ｃｙｆｌｕｔｈｒｉｎ）、シハロトリン（ｃｙｈａｌｏｔｈｒｉｎ）、ガンマシハロトリン（ｇａｍｍａ−ｃｙｈａｌｏｔｈｒｉｎ）、ラムダシハロトリン（ｌａｍｂｄａ−ｃｙｈａｌｏｔｈｒｉｎ）、シペルメトリン（ｃｙｐｅｒｍｅｔｈｒｉｎ）、アルファシペルメトリン（ａｌｐｈａ−ｃｙｐｅｒｍｅｔｈｒｉｎ）、シータサイパーメトリン（ｔｈｅｔａ−ｃｙｐｅｒｍｅｔｈｒｉｎ）、ゼータシペルメトリン（ｚｅｔａ−ｃｙｐｅｒｍｅｔｈｒｉｎ）、シフェノトリン（ｃｙｐｈｅｎｏｔｈｒｉｎ）、デルタメトリン（ｄｅｌｔａｍｅｔｈｒｉｎ）、ジメフルトリン（ｄｉｍｅｆｌｕｔｈｒｉｎ）、エンペントリン（ｅｍｐｅｎｔｈｒｉｎ）、エスフェンバレレート（ｅｓｆｅｎｖａｌｅｒａｔｅ）、エトフェンプロックス（ｅｔｏｆｅｎｐｒｏｘ）、フェンプロパトリン（ｆｅｎｐｒｏｐａｔｈｒｉｎ）、フェンバレレート（ｆｅｎｖａｌｅｒａｔｅ）、フルシトリネート（ｆｌｕｃｙｔｈｒｉｎａｔｅ）、フルフェンプロックス（ｆｌｕｆｅｎｐｒｏｘ）、フルメトリン（ｆｌｕｍｅｔｈｒｉｎ）、フルバリネート（ｆｌｕｖａｌｉｎａｔｅ）、フラメトリン（ｆｕｒａｍｅｔｈｒｉｎ）、ハルフェンプロックス（ｈａｌｆｅｎｐｒｏｘ）、イミプロトリン（ｉｍｉｐｒｏｔｈｒｉｎ）、メトフルトリン（ｍｅｔｏｆｌｕｔｈｒｉｎ）、ペルメトリン（ｐｅｒｍｅｔｈｒｉｎ）、フェノトリン（ｐｈｅｎｏｔｈｒｉｎ）、ｄ−フェノトリン、プラレトリン（ｐｒａｌｌｅｔｈｒｉｎ）、プロフルトリン（ｐｒｏｆｌｕｔｈｒｉｎ）、ピレトリン（ｐｙｒｅｔｈｒｉｎｓ）、レスメトリン（ｒｅｓｍｅｔｈｒｉｎ）、ｄ−レスメトリン、シラフルオフェン（ｓｉｌａｆｌｕｏｆｅｎ）、タウフルバリネート（ｔａｕ−ｆｌｕｖａｌｉｎａｔｅ）、テフルトリン（ｔｅｆｌｕｔｈｒｉｎ）、テラレスリン（ｔｅｒａｌｌｅｔｈｒｉｎ）、テトラメトリン（ｔｅｔｒａｍｅｔｈｒｉｎ）、ｄ−テトラメトリン、トラロメトリン（ｔｒａｌｏｍｅｔｈｒｉｎ）、トランスフルトリン（ｔｒａｎｓｆｌｕｔｈｒｉｎ）、天然ピレトリン等が挙げられる。
【００４０】
なお、ピレスロイド化合物としては、ペルメトリン、エスフェンバレレート、デルタメトリン、アルファシペルメトリン、ラムダシハロトリン、ビフェントリン及びエトフェンプロックスからなる群より選ばれる少なくとも１種が、好ましい。
【００４１】
これらのピレスロイド化合物は、一種のみで、又は、二種以上を組み合わせて、使用できる。また、上記化合物の中には、光学異性体、立体異性体、又は幾何異性体等が存在するものもあるが、本発明のピレスロイド化合物には、活性な異性体及びその混合物が、含まれる。
【００４２】
(1-2)昆虫成長制御剤
昆虫成長制御剤としては、具体的には、幼若ホルモン活性化合物やキチン合成阻害剤を挙げることができる。
【００４３】
幼若ホルモン活性化合物としては、例えば、ピリプロキシフェン（ｐｙｒｉｐｒｏｘｙｆｅｎ）、ヒドロプレン（ｈｙｄｒｏｐｒｅｎｅ）、メトプレン（ｍｅｔｈｏｐｒｅｎｅ）、フェノキシカルブ（ｆｅｎｏｘｙｃａｒｂ）等が挙げられる。
【００４４】
キチン合成阻害剤としては、例えば、エトキサゾール（ｅｔｏｘａｚｏｌｅ）、ビストリフルロン（ｂｉｓｔｒｉｆｌｕｒｏｎ）、クロルフルアズロン（ｃｈｌｏｒｆｌｕａｚｕｒｏｎ）、ジフルベンズロン（ｄｉｆｌｕｂｅｎｚｕｒｏｎ）、フルアズロン（ｆｌｕａｚｕｒｏｎ）、フルシクロクスロン（ｆｌｕｃｙｃｌｏｘｕｒｏｎ）、フルフェノクスロン（ｆｌｕｆｅｎｏｘｕｒｏｎ）、ヘキサフルムロン（ｈｅｘａｆｌｕｍｕｒｏｎ）、ルフェヌロン（ｌｕｆｅｎｕｒｏｎ）、ノバルロン（ｎｏｖａｌｕｒｏｎ）、ノビフルムロン（ｎｏｖｉｆｌｕｍｕｒｏｎ）、テフルベンズロン（ｔｅｆｌｕｂｅｎｚｕｒｏｎ）、トリフルムロン（ｔｒｉｆｌｕｍｕｒｏｎ）等が挙げられる。
【００４５】
熱可塑性樹脂製ネットに含まれる防虫成分の量は、熱可塑性樹脂製ネット１００重量％に対して、通常０．１〜２０重量％、好ましくは０．２〜１０重量％である。
【００４６】
なお、昆虫成長制御剤としては、ピリプロキシフェン及びメトプレンより選ばれる少なくとも１種が、好ましい。
【００４７】
（２）態様
例えば、具体的には、次の態様が挙げられる。
(2-1)ピレスロイド化合物と昆虫成長制御剤とが、担体に混合されている。
(2-2)ピレスロイド化合物と昆虫成長制御剤とが、担体表面にコーティングされている。
(2-3)ピレスロイド化合物が担体に混合され、昆虫成長制御剤が担体表面にコーティングされている。
(2-4)ピレスロイド化合物が担体表面にコーティングされ、昆虫成長制御剤が担体に混合されている。
【００４８】
防虫ネットが、ピレスロイド殺虫剤と昆虫成長制御剤とを含む場合、ピレスロイド殺虫剤と昆虫成長制御剤との配合比は、重量比で通常１：１００００〜１０００：１、好ましくは１：１０００〜１００：１、より好ましくは１：２０〜２０：１、より一層好ましくは１：１０〜１０：１の範囲であり、最も好ましくは１：５〜５：１の範囲である。
【００４９】
ピレスロイド殺虫剤と昆虫成長制御剤との組み合わせとしては、例えば以下の組み合わせが挙げられる。
・ペルメトリンとピリプロキシフェン
・エスフェンバレレートとピリプロキシフェン
・デルタメトリンとピリプロキシフェン
・アルファシペルメトリンとピリプロキシフェン
・ビフェントリンとピリプロキシフェン
・エトフェンプロックスとピリプロキシフェン
・ペルメトリンとメトプレン
・エスフェンバレレートとメトプレン
・デルタメトリンとメトプレン
・アルファシペルメトリンとメトプレン
・ビフェントリンとメトプレン
・エトフェンプロックスとメトプレン
【００５０】
上記の組み合わせの中でも、ペルメトリンまたはエスフェンバレレートと、ピリプロキシフェンとの組み合わせが好ましい。
【００５１】
また、ペルメトリンまたはエスフェンバレレートとピリプロキシフェンとの配合比の例としては、重量比で１：１または２：１が挙げられる。
【００５２】
防虫ネットとして、防虫成分が含有されてなる熱可塑性樹脂製ネットとして、市販されているネットを使用することができる。かかるネットとしては、例えば、BASF SEのInterceptor（登録商標）(アルファ-シペルメトリンを含むポリエステル製ネット)、Clarke Mosquito Control Product Inc.のDuraNet（登録商標）(アルファ-シペルメトリンを含むポリエチレン製ネット)、Tanna Netting Co. LtdのDawa Plus（登録商標）(デルタメトリンを含むポリエステル製ネット)、Bestnet Europe LtdのNetProtect（登録商標）(デルタメトリンを含むポリエチレン製ネット) 、Syngenta AGのIconet（登録商標）(ラムダ-シハロトリンを含むポリエステル製ネット)、Sumitomo ChemicalのOlyset（登録商標）(ペルメトリンを含むポリエチレン製ネット)、Bayer Crop Science AGのLifenet（登録商標）(デルタメトリンを含むポリプロピレン製ネット)、及びVestergaard社のPermaNet（登録商標）(デルタメトリンを含むポリエステル製ネット又はポリエチレン製ネット)が挙げられる。
【００５３】
（３）製造方法
本発明の防虫ネットは、例えば、次の（ｉ）、（ii）、又は（iii）のようにして製造できる。なお、（ｉ）〜（iii）では、担体として熱可塑性樹脂を使用する場合について、説明する。
（ｉ）熱可塑性樹脂と、防虫成分と、任意の配合剤とを、攪拌混合し、得られた混合物を、溶融混練して、樹脂組成物を得、その樹脂組成物を用いて所定の形態の樹脂体を得る。これにより、防虫ネットが得られる。
（ii）熱可塑性樹脂と、ピレスロイド化合物及び昆虫成長制御剤の一方と、任意の配合剤とを、攪拌混合し、得られた混合物を溶融混練して、樹脂組成物を得、その樹脂組成物を用いて所定の形態の樹脂体を得る。そして、ピレスロイド化合物及び昆虫成長制御剤の他方を、樹脂体の表面にコーティングする。これにより、防虫ネットが得られる。
（iii）熱可塑性樹脂と、任意の配合剤とを、攪拌混合し、得られた混合物を、溶融混練して、樹脂組成物を得、その樹脂組成物を用いて所定の形態の樹脂体を得る。そして、ピレスロイド化合物及び昆虫成長制御剤を、樹脂体の表面にコーティングする。これにより、防虫ネットが得られる。
【００５４】
なお、上記（ｉ）〜（iii）の方法において、樹脂体は、例えば、樹脂組成物を溶融成形して形成できるが、その他の成形方法によって形成してもよい。そのような成形方法としては、樹脂の成形加工で通常用いられる方法を使用でき、例えば、押出成形、射出成形、ブロー成形、圧縮成形、粉末成形、又はプレス成形等が、挙げられる。
【００５５】
また、ピレスロイド化合物及び／又は昆虫成長制御剤を担体表面にコーティングする方法としては、例えば、当該成分を、そのままで、又は、アルコール等の溶剤に溶解して、樹脂体に、浸漬処理、スプレー処理、又は塗布処理する方法が、挙げられる。
【００５６】
また、ピレスロイド化合物及び昆虫成長制御剤の少なくとも一方を、補助担体に担持した後、熱可塑性樹脂と溶融混練して、樹脂組成物を得、その樹脂組成物を用いて所定の形態の樹脂体を得ることもできる。上記補助担体としては、シリカ系化合物、ゼオライト類、粘度鉱物、金属酸化物、雲母類、ハイドロタルサイト類、有機担体等が、挙げられる。シリカ系化合物としては、非晶性シリカと結晶性シリカがあり、例えば、粉末ケイ酸、微粉末ケイ酸、酸性白土、珪藻土、石英、ホワイトカーボン等が、挙げられる。ゼオライト類としては、Ａ型ゼオライト、モルデナイト等が、挙げられ、粘度鉱物としては、モンモリロナイト、サポナイト、バイデライト、ベントナイト、カオリナイト、ハロイサイト、ナクライト、デッカイト、アノーキサイト、イライト、セリサイト等が、挙げられ、金属酸化物としては、酸化亜鉛、酸化マグネシウム、酸化アルミニウム、酸化鉄、酸化銅、酸化チタン等が、挙げられ、雲母類としては、雲母、バーミキュライト等が、挙げられ、ハイドロタルサイト類としては、ハイドロタルサイト、スメクタイト等が、挙げられ、有機担体としては、炭類（木炭、泥炭、草炭等）、ポリマービーズ（微結晶セルロース、ポリスチレンビーズ、アクリル酸エステル系ビーズ、メタクリル酸エステル系ビーズ、ポリビニルアルコール系ビーズ等）、及びそれらの架橋ポリマービーズ等が、挙げられる。その他にも、パーライト、石こう、セラミック、火山性岩等が、挙げられる。上記補助担体としては、非晶性無機担体が好ましく、非晶性シリカが、更に好ましい。
【００５７】
本発明の防虫ネットは、共力剤、ネオニコチノイド系化合物、カーバメート系化合物、有機リン系化合物、フェニルピラゾール系化合物、ピロール系化合物やオキサジアジン系化合物などの殺虫剤、忌避剤、酸化防止剤、防黴剤、抗菌剤、顔料、芳香剤、消臭剤、展着剤、紫外線吸収剤、光安定剤、滑剤、アンチブロッキング剤、帯電防止剤、界面活性剤、充填剤、難然剤、可塑剤、又は防錆剤等の、配合剤を、含有してもよい。
【００５８】
なお、上記配合剤として、共力剤を用いる場合には、本発明の防虫ネットは、例えば、次の（ｉ）、（ii）、又は（iii）のようにして製造できる。なお、（ｉ）〜（iii）では、担体として熱可塑性樹脂を使用する場合について、説明する。
（ｉ）熱可塑性樹脂と、防虫成分と、共力剤と、他の任意の配合剤とを、攪拌混合し、得られた混合物を、溶融混練して、樹脂組成物を得、その樹脂組成物を用いて所定の形態の樹脂体を得る。これにより、防虫ネットが得られる。
（ii）熱可塑性樹脂と、ピレスロイド化合物、昆虫成長制御剤、及び共力剤からなる群から選択した少なくとも１種の成分と、他の任意の配合剤とを、攪拌混合し、得られた混合物を溶融混練して、樹脂組成物を得、その樹脂組成物を用いて所定の形態の樹脂体を得る。そして、上記群から選択しなかった成分を、樹脂体の表面にコーティングする。これにより、防虫ネットが得られる。
（iii）熱可塑性樹脂と、他の任意の配合剤とを、攪拌混合し、得られた混合物を、溶融混練して、樹脂組成物を得、その樹脂組成物を用いて所定の形態の樹脂体を得る。そして、ピレスロイド化合物、昆虫成長制御剤、及び共力剤を、樹脂体の表面にコーティングする。これにより、防虫ネットが得られる。
【００５９】
共力剤としては、例えば、次のものが挙げられる。
・α−［２−（２−ブトキシエトキシ）エトキシ］−４，５−メチレンジオキシ−２−プロピルトルエン  ［ピペロニルブトキサイド（ＰＢＯ）］
・Ｎ−（２−エチルヘキシル）−１−イソプロピル−４−メチルビシクロ（２，２，２）オクト−５−エン−２，３−ジカルボキシイミド  ［サイネピリン５００］
・ステアリン酸ブチル
・ビス−（２，３，３，３−テトラクロロプロピル）エーテル  ［Ｓ−４２１］
・Ｎ−（２−エチルヘキシル）ビシクロ［２．２．１］ヘプト−５−エン−２，３−ジカルボキシイミド  ［ＭＧＫ２６４］
【００６０】
本発明の防虫ネットにおける各成分の配合量は、熱可塑性樹脂３０〜９９重量％、ピレスロイド化合物０．０１〜５０重量％、及び昆虫成長制御剤０．００１〜５０重量％が好ましく、熱可塑性樹脂５０〜９９重量％、ピレスロイド化合物０．１〜２５重量％、及び昆虫成長制御剤０．０１〜２５重量％がより好ましい。
【００６１】
更に、共力剤を含む場合の本発明の防虫ネットにおける各成分の配合量は、熱可塑性樹脂３０〜９９重量％、ピレスロイド化合物０．０１〜５０重量％、昆虫成長制御剤０．００１〜５０重量％、及び共力剤０．０１〜５０重量％が好ましく、熱可塑性樹脂５０〜９９重量％、ピレスロイド化合物０．１〜２５重量％、昆虫成長制御剤０．０１〜２５重量％、及び共力剤０．１〜２５重量％がより好ましい。
【００６２】
次に、穀物袋１の効果について説明する。
【００６３】
前記穀物袋１によれば、少なくとも１種の防虫成分を含む防虫ネット３１を有するので、殺虫効果を発揮して、優れた防虫効果を有する穀物袋１を提供できる。また、穀物袋１内に穀物を入れることで、穀物袋１内に収納される穀物を害虫から保護する。つまり、防虫方法は、穀物袋１内に穀物を入れる工程を有し、穀物を害虫から保護する。
【００６４】
害虫としては、例えば、コメノゴミムシダマシ（Tenebrio obscurus）、チャイロコメノゴミムシダマシ（Tenebrio molitor）、クロゴミムシダマシ（Neatus ventralis）、フタオビツヤゴミムシダマシ（Alphitophagus bifasciatus）、ガイマイゴミムシダマシ（Alphitobius diaperinus）、ヒメゴミムシダマシ（Alphitobius laevigatus）、ヒラタコクヌストモドキ（Tribolium confusum）、コクヌストモドキ（Tribolium castaneum）、カシミールコクヌストモドキ（Tribolium freemani）、コクゾウムシ（Sitophilus zeamais）、ココクゾウムシ（Sitophilus oryzae）、グラナリアコクゾウムシ（Sitophilus granarius）、コナナガシンクイムシ（Rhyzopertha dominica）、チビタケナガシンクイムシ（Dinoderus minutus）、コメノケシキスイ（Carpophilus pilosellus）、ガイマイデオキスイ（Carpophilus dimidiatus）、ノコギリヒラタムシ（Oryzaephilus surinamensis）、オオメノコギリヒラタムシ（Oryzaephilus mercator）、カクムネヒラタムシ（Cryptolestes pusillus）、タバコシバンムシ（Lasioderma serricorne）、ジンサンシバンムシ（Stegobium paniceum）、ヒメマルカツオブシムシ（Anthrenus verbasci）、シロオビマルカツオブシムシ（Anthrenus nipponensis）、ヒメカツオブシムシ（Attagenus unicolor japonicus）、オビヒメカツオブシムシ（Attagenus fasciatus）、ハラジロカツオブシムシ（Dermestes maculatus）、ヒメアカカツオブシムシ（Trogoderma granarium）、アカマダラカツオブシムシ（Trogoderma varium）、チビケカツオブシムシ（Trinodes rufescens）、アズキゾウムシ（Callosobruchus chinensis）、ヨツモンマメゾウムシ（Callosobruchus maculatus）、アカイロマメゾウムシ（Callosobruchus analis）、インゲンマメゾウムシ（Acanthoscelides obtectus）、ニセセマルヒョウホンムシ（Gibbium aequinoctiale）、ナガヒョウホンムシ（Ptinus japonicus）、コクヌスト(Tenebroides mauritanicus)、ホソチビコクヌスト（Lophocateres pusillus）、Prostephanus truncatus、Zabrotes subfasciatus、Bruchus pisorum、Cryptolestes ferrugineus、Cryptolestes turcicus、Latheticus oryzae、Tribolium destructor、Araecerus fasciculatus、Bruchidius atrolineatus、Callosobruchus rhodesianus、Callosobruchus subinotatus、Caryedon gonagra、Trogoderma granarius、ノシメマダラメイガ（Plodia interpunctella）、スジマダラメイガ（Cadra cautella）、スジコナマダラメイガ（Ephestia kuehniella）、チャマダラメイガ（Ephestia elutella）、ガイマイツヅリガ（Corcyra cephalonica）、イッテンコクガ（Paralipsa gularis）、カシノシマメイガ（Pyralis farinalis）、コメノシマメイガ（Aglossa dimidiata）、バクガ（Sitotroga cerealella）、ヒラタチャタテ（Liposcelis bostrychophila）、Ephestia cautella、Myelois ceratoniaeである。前記穀物袋１は、これらの害虫に対して、優れた防虫効果を発揮する。
【００６５】
前記穀物袋１によれば、防虫ネット３１は、袋本体２０の開口部２０ｃ側からみて袋本体２０の内部を２つの空間Ｓ１，Ｓ２に仕切るように、袋本体２０の内面２０ａに取り付けられている。これにより、袋本体２０内に穀物を収納する際、穀物に付着している害虫に対して、有効に防虫効果を発揮する。さらに、作業者は、袋本体２０を持ち運ぶ際、袋本体２０の外側に触れても、防虫ネット３１に直接に触れることがなく、防虫剤が作業者に付着し難くなる。さらに、害虫が袋本体２０の内部の２つの空間Ｓ１，Ｓ２を移動しようとすると、害虫がネットに触れて、防虫効果が向上する。
【００６６】
前記穀物袋１によれば、袋本体２０と防虫ネット３１は、別部材である。これにより、袋本体２０に強度をもたせ、防虫ネット３１に防虫機能をもたせて、機能を分けることができ、強度と防虫を兼ね備えた穀物袋１を容易に製造できる。さらに、既存の袋本体２０に防虫ネット３１を取り付けて、穀物袋１を製造できるので、既存の袋本体２０の利用が可能となる。
【００６７】
前記穀物袋１によれば、防虫ネット３１は、ネットの形状を有する。これにより、害虫が防虫ネット３１の網目３５を往来する際に、害虫が防虫ネット３１に触れる機会が多くなって、防虫効果が向上する。さらに、シートの形状に比べて表面積が小さくなり、穀物との接触面積を小さくできて、防虫剤が穀物に付着し難くなる。また、ネット形状であることから伸縮性があり、袋本体２０の形状にフィットする。さらに、ネット形状であることから通気性が高く、袋本体２０に取り付けても加湿になることがない。
【００６８】
（第２実施形態）
図５は、本発明の穀物袋の第２実施形態を示す分解斜視図である。第２実施形態は、第１実施形態と比べて、他の防虫ネットを追加した構成が相違する。この相違する構成を以下に説明する。なお、第２実施形態において、第１実施形態と同一の符号は、第１実施形態と同じ構成であるため、その説明を省略する。
【００６９】
図５に示すように、第２実施形態の穀物袋１Ａは、第１実施形態の第１の防虫ネット３１に加えて、少なくとも１種の防虫成分を含む第２の防虫ネット３２（防虫ネット（Ｂ）の一例）を有する。第２の防虫ネット３２の材料は、第１の防虫ネット３１の材料と同じである。第２の防虫ネット３２の形状は、第１の防虫ネット３１の形状と同じである。
【００７０】
第２の防虫ネット３２は、袋本体２０の内面２０ａに張り付けられている。つまり、第２の防虫ネット３２は、内張りの防虫ネット３２である。第２の防虫ネット３２の数量は、第２実施形態では、２枚である。なお、第２の防虫ネット３２の数量は、１枚または３枚以上であってもよい。
【００７１】
第２の防虫ネット３２は、矩形状であり、第２の防虫ネット３２の上下の長さは、袋本体２０の上下の長さと略同じである。なお、第２の防虫ネット３２の上下の長さは、袋本体２０の上下の長さよりも短くてもよく、このとき、第２の防虫ネット３２は、袋本体２０の上下の間の何れの位置にあってもよい。また、第２の防虫ネット３２は、矩形状でなく、長円形、楕円形、多角形などであってもよい。
【００７２】
第２の防虫ネット３２は、例えば、熱圧着や縫製や接着などにより、袋本体２０の内面２０ａに張り付けられる。第２の防虫ネット３２の一部が、張り付けられてもよく、または、第２の防虫ネット３２の全部が、張り付けられてもよい。
【００７３】
前記第２実施形態の穀物袋１Ａによれば、前記第１実施形態と同様の効果を有する。さらに、第２の防虫ネット３２は、袋本体２０の内面２０ａに張り付けられているので、袋本体２０内に穀物を収納する際、穀物に付着している害虫に対して、有効に防虫効果を発揮する。
【００７４】
（第３実施形態）
図６は、本発明の穀物袋の第３実施形態を示す分解斜視図である。第３実施形態は、第１実施形態と比べて、他の防虫ネットを追加した構成が相違する。この相違する構成を以下に説明する。なお、第３実施形態において、第１実施形態と同一の符号は、第１実施形態と同じ構成であるため、その説明を省略する。
【００７５】
図６に示すように、第３実施形態の穀物袋１Ｂは、第１実施形態の第１の防虫ネット３１に加えて、少なくとも１種の防虫成分を含む第３の防虫ネット３３（防虫ネット（Ｃ）の一例）を有する。第３の防虫ネット３３の材料は、第１の防虫ネット３１の材料と同じである。第３の防虫ネット３３の形状は、第１の防虫ネット３１の形状と同じである。
【００７６】
第３の防虫ネット３３は、袋本体２０の外面２０ｂに張り付けられている。つまり、第３の防虫ネット３３は、外張りの防虫ネット３２である。第３の防虫ネット３３の数量は、第３実施形態では、２枚である。なお、第３の防虫ネット３３の数量は、１枚または３枚以上であってもよい。
【００７７】
第３の防虫ネット３３は、矩形状であり、第３の防虫ネット３３の上下の長さは、袋本体２０の上下の長さと略同じである。なお、第３の防虫ネット３３の上下の長さは、袋本体２０の上下の長さよりも短くてもよく、このとき、第３の防虫ネット３３は、袋本体２０の上下の間の何れの位置にあってもよい。また、第３の防虫ネット３３は、矩形状でなく、長円形、楕円形、多角形などであってもよい。
【００７８】
第３の防虫ネット３３は、例えば、熱圧着や縫製や接着などにより、袋本体２０の外面２０ｂに張り付けられる。第３の防虫ネット３３の一部が、張り付けられてもよく、または、第３の防虫ネット３３の全部が、張り付けられてもよい。
【００７９】
前記第３実施形態の穀物袋１Ｂによれば、前記第１実施形態と同様の効果を有する。さらに、第３の防虫ネット３３は、袋本体２０の外面２０ｂに張り付けられているので、袋本体２０の外から内に侵入する害虫に対して、有効に防虫効果を発揮する。
【００８０】
（第４実施形態）
図７Ａは、本発明の穀物袋の第４実施形態を示す分解斜視図である。図７Ｂは、袋本体の断面図である。第４実施形態は、第１実施形態と比べて、袋本体の構成が相違する。この相違する構成を以下に説明する。なお、第４実施形態において、第１実施形態と同一の符号は、第１実施形態と同じ構成であるため、その説明を省略する。
【００８１】
図７Ａと図７Ｂに示すように、第４実施形態の穀物袋１Ｃの袋本体２０Ｃは、内側の内面シート２１と、外側の外面シート２２と、内面シート２１と外面シート２２の間の少なくとも１種の防虫成分を含む第４の防虫ネット３４（防虫ネット（Ｄ）の一例）とを有する。内面シート２１と外面シート２２は、例えば、熱圧着や縫製や接着などにより、互いに接合される。袋本体２０Ｃの材料は、第１実施形態の袋本体２０の材料と同じであり、好ましくは、ポリプロピレンである。なお、内面シート２１と外面シート２２との間に、他のシート部材を設けるようにしてもよい。
【００８２】
第４の防虫ネット３４の材料は、第１実施形態の第１の防虫ネット３１の材料と同じである。第４の防虫ネット３４の形状は、第１の防虫ネット３１の形状と同じである。
【００８３】
第４の防虫ネット３４は、内面シート２１と外面シート２２の間に取り付けられている。つまり、第４の防虫ネット３４は、袋本体２０Ｃの中間層の防虫ネット３３である。図７Ｂでは、第４の防虫ネット３４を図４Ｂに示す織構造としたときの断面図を示す。第４の防虫ネット３４の数量は、第４実施形態では、２枚である。なお、第４の防虫ネット３４の数量は、１枚または３枚以上であってもよい。
【００８４】
第４の防虫ネット３４は、矩形状であり、第４の防虫ネット３４の上下の長さは、内面シート２１および外面シート２２の上下の長さと略同じである。なお、第４の防虫ネット３４の上下の長さは、内面シート２１および外面シート２２の上下の長さよりも短くてもよく、このとき、第４の防虫ネット３４は、内面シート２１および外面シート２２の上下の間の何れの位置にあってもよい。また、第４の防虫ネット３４は、矩形状でなく、長円形、楕円形、多角形などであってもよい。
【００８５】
第４の防虫ネット３４は、例えば、熱圧着や縫製や接着などにより、内面シート２１と外面シート２２の間に張り付けられる。第４の防虫ネット３４の一部が、張り付けられてもよく、または、第４の防虫ネット３４の全部が、張り付けられてもよい。
【００８６】
前記第４実施形態の穀物袋１Ｃによれば、前記第１実施形態と同様の効果を有する。さらに、第４の防虫ネット３４は、袋本体２０Ｃの内面シート２１と外面シート２２の間に取り付けられているので、袋本体２０Ｃの外から内に侵入する害虫に対して、有効に防虫効果を発揮する。
【００８７】
なお、本発明は上述の実施形態に限定されず、本発明の要旨を逸脱しない範囲で設計変更可能である。例えば、第１から第４実施形態のそれぞれの特徴点を様々に組み合わせてもよい。
【００８８】
（実施例）
以下、本発明の穀物袋の実施例の実験データについて説明する。
【００８９】
図８は、実験データを示すグラフであり、コクゾウムシに対する薬効を示す。「比較例１」は、袋本体として麻袋を用いた。
【００９０】
「実施例１」は、前記第２実施形態の実施例であり、内張りの防虫ネットおよび仕切りの防虫ネットを用いた。防虫ネットの目合い（ホールサイズ）は、４ｍｍである。仕切りの防虫ネットは、斜め方向に配置される。実施例１では、防虫ネットは、２％のペルメトリンのピレスロイド化合物と、１％のピリプロキシフェンの昆虫成長制御剤とを含む。
【００９１】
図８に示すように、比較例１の場合、放飼したコクゾウムシ成虫４００頭が、７７日後に、約９７００頭に増殖した。このとき、生存頭数は９５０８頭であり、死亡頭数は１６７頭であり、増殖率は２４倍であった。実施例１の増殖条件を、比較例１と同様の条件とした。
【００９２】
実施例１の場合、コクゾウムシは、４４２頭に抑制された。このとき、生存頭数は０頭であり、死亡頭数は４４２頭であり、密度抑制効果は９５％であった。
【００９３】
したがって、実施例１では、比較例１に比べて、顕著な防虫効果を発揮している。
【符号の説明】
【００９４】
１，１Ａ〜１Ｃ  穀物袋
２０，２０Ｃ  袋本体
２０ａ  内面
２０ｂ  外面
２０ｃ  開口部
２０ｄ  底部
２１  内面シート
２２  外面シート
３１〜３４  防虫ネット
３５  網目
Ｓ１，Ｓ２  空間
【図１】
2017056963.tif 000003
【図２】
2017056963.tif 000004
【図３】
2017056963.tif 000005
【図４Ａ】
2017056963.tif 000006
【図４Ｂ】
2017056963.tif 000007
【図４Ｃ】
2017056963.tif 000008
【図４Ｄ】
2017056963.tif 000009
【図５】
2017056963.tif 000010
【図６】
2017056963.tif 000011
【図７Ａ】
2017056963.tif 000012
【図７Ｂ】
2017056963.tif 000013
【図８】
2017056963.tif 000014